(57)【要約】【課題】製品としての外観を損なうことなく送話口への異物の侵入を防止でき、マイクロフォンの集音レベルが低下することなく、小型化可能な携帯端末を提供する。【解決手段】筐体２０１内にマイク２２１を備えた携帯端末であって、筐体２０１は、略箱状の前筐体２１３と前筐体２１３の上端側の一部を覆う略蓋状の後筐体２１５とからなり、マイク２２１へ音声を導くために前筐体２１３の下端面に形成された音孔２０２と、前筐体２１３の下端部近傍に、筐体２０１に収容される回路基板２１１と垂直に実装されたマイク２２１とを有する。【選択図】図１
2009111696.tif 000002
【特許請求の範囲】
【請求項１】
筐体内にマイクを備えた携帯端末であって、
前記筐体は、略箱状の前筐体と前記前筐体の上端側の一部を覆う略蓋状の後筐体とからなり、
前記マイクへ音声を導くために前記前筐体の下端面に形成された送話音孔と、
前記前筐体下端部近傍に、該筐体に収容される回路基板と垂直に実装された前記マイクとを有することを特徴とする携帯端末。
【請求項２】
嵌合構造によって前記前筐体に固定される前記後筐体とは別体のカバーによって、前記マイクが隠蔽されることを特徴とする請求項１記載の携帯端末。
【請求項３】
前記カバーは、前記前筐体の下端壁との間に空間を形成し、該空間に前記マイクを収容することを特徴とする請求項２記載の携帯端末。
【請求項４】
前記後筐体に設けられた切り欠き部を介して前記筐体の内外にまたがるフレキシブル基板によって、前記マイクと前記回路基板とが電気的に接続されたことを特徴とする請求項２又は３記載の携帯端末。
【請求項５】
前記筐体を第１の筐体とし、前記第１の筐体と第２の筐体とが折り畳み可能に連結された折り畳み式であり、
前記カバーには磁石が設置されており、
前記第２の筐体には、折り畳み時に前記磁石と対向するように磁力検出手段が設置されており、
前記磁力検出手段の検出結果に基づいて、自端末が折り畳み状態にあるか否かを検出することを特徴とする請求項２から４のいずれか１項記載の携帯端末。
【請求項６】
情報表示手段を有し、自端末が折り畳み状態にあると判断した場合に前記情報表示手段への電力の供給を停止することを特徴とする請求項５記載の携帯端末。
【請求項７】
前記前筐体の下端部前面に前記マイクを収容可能に形成された凹部を有し、
前記マイクは、前記凹部内に実装され、
ユーザインタフェースをなすように前記前筐体の前面に設置されたキーシートによって前記凹部が隠蔽されることを特徴とする請求項１記載の携帯端末。
【請求項８】
前記筐体を第１の筐体とし、前記第１の筐体と第２の筐体とが折り畳み可能に連結された折り畳み式であり、
前記凹部には磁石が設置されており、
前記第２の筐体には、折り畳み時に前記磁石と対向するように磁力検出手段が設置されており、
前記磁力検出手段の検出結果に基づいて、自端末が折り畳み状態にあるか否かを検出することを特徴とする請求項７記載の携帯端末。
【請求項９】
情報表示手段を有し、自端末が折り畳み状態にあると判断した場合に前記情報表示手段への電力の供給を停止することを特徴とする請求項８記載の携帯端末。
【請求項１０】
略箱状の前筐体と前記前筐体の上端側の一部を覆う略蓋状の後筐体とからなる携帯端末の筐体内にマイクを実装するマイク実装方法であって、
前記マイクへ音声を導くための送話音孔を前記前筐体の下端面に形成し、
前記前筐体下端部近傍に、該筐体に収容される回路基板と垂直に前記マイクを実装することを特徴とするマイク実装方法。
【請求項１１】
前記後筐体とは別体のカバーを嵌合構造によって前記前筐体に固定することによって、前記マイクを隠蔽することを特徴とする請求項１０記載のマイク実装方法。
【請求項１２】
前記前筐体の下端部前面に前記マイクを収容可能な凹部を形成し、
前記マイクを前記凹部内に実装し、
ユーザインタフェースをなすキーシートを前記前筐体の前面に設置することによって前記凹部を隠蔽することを特徴とする請求項１０記載のマイク実装方法。
【発明の詳細な説明】
【技術分野】
【０００１】
本発明は筐体内にマイクを内蔵する携帯端末及びマイク実装方法に関する。
【背景技術】
【０００２】
ＰＨＳを含む携帯電話機などの電子通信機器、特に折り畳み式の携帯電話機は、表示装置として適用されるＬＣＤの大型化、高画素化によって表示情報量が多くなっている。さらに、最近では通話機能のみならず、電子メールの送受信、インターネットへの接続など情報端末機器としての機能が利用される機会も多くなってきている。
【０００３】
しかし、携帯電話機の基本機能は通話機能であることから、相手に言葉を明確に伝達できるように、マイクの音質特性を確保することは重要な課題である。
【０００４】
図９は、従来の折り畳み式携帯電話機を開いた状態での斜視図である。
キー入力装置９０の下方には、通話時にユーザの口腔が正対するように、下部前筐体９１にマイク音孔９２が設けられている。
【０００５】
一般的に、折り畳み式の携帯電話機で通話機能を利用する場合、ユーザは、携帯電話機のヒンジ部を軸にして表示装置を開き、キー入力装置を構成するキーシートを用いて相手の電話番号を入力して発信し、マイク部に口を近づけて送話するという操作を行うこととなる。
【０００６】
マイク部は、ユーザの口付近にくるようにキー入力装置と同一面の下方に配置されており、送話の際にユーザは携帯電話機に口を近づけて送話するので、送話部のマイク用の音孔にはユーザの唾や顔の皮脂などが溜まりやすく、通話時の音質劣化を引き起こしてしまう。
【０００７】
また、情報端末としての機能を利用する場合、特にメールの送受信の際には、ユーザは、キーシートにて文字入力を行う。このときユーザは、表示装置を確認しながらコンピュータのキーボードを打つように頻繁にキー入力、文字変換作業を行うこととなる。
【０００８】
そのため、キーシートには手垢や手の塵などが付着する。よって、近傍にあるマイク音孔には垢や塵などが溜まりやすく、やはり送話時の音質劣化を引き起こしてしまう。
【０００９】
また、携帯電話機の製造メーカは、デジタルＴＶ放送（ワンセグ放送）受信機能、音楽再生機能、コンピュータ端末との親和性の強化などの機能向上を図ることで他社製品との差別化を図っている。
【００１０】
さらに、携帯電話機の製造メーカは、携帯電話機の小型化でも他社製品との差別化を図っており、特に携帯電話機の厚さを従来の半分以下（例えば、折り畳んだときの厚さが１２ｍｍ前後）に薄型化を図り、他社よりも０．１ｍｍでも薄くして商品の差別化をアピールしている。
【００１１】
携帯電話機を薄型化する手法としては、
（ａ）従来は複数重ねて実装していた回路基板を一枚にして、内部部品を効率良く実装配置する。
（ｂ）強度を損なわずに筐体構造を簡素化し、部品を削減する。
が挙げられる。
【００１２】
内部部品を効率良く実装配置するためには、各部品が携帯電話機の厚さ方向に極力重ならないように配置することが重要である。一般的に、マイクは、通話時にユーザの口腔と正対するようにキー入力装置と同一面の下方に実装配置される。
【００１３】
しかし、携帯電話機用のマイクは平面方向に面積が大きいものが一般的であるため、薄型化を目的として内部部品を実装配置する場合、厚さ方向と直交する平面方向に内部実装エリアが広がってしまう。このことから、機器は幅方向に広く、縦方向に長い筐体となってしまう。
【００１４】
また、折り畳み式携帯電話機に関する特許文献１のように、導通接点部はマイクの裏面側に設け、キー入力装置のキーシートに対し平行にマイクを実装することが一般的であった。
【００１５】
図１０に、特許文献１に開示されるような折り畳み式の携帯電話機（図９に示した携帯電話機）のマイク部の縦断面（図９のＡ−Ａでの断面）を、図１１に、マイク部の横断面（図９のＢ−Ｂでの断面）を示す。
【００１６】
折り畳み式携帯電話機のキー入力装置９０の下方近傍に配置されたマイク部は、下部前筐体９１と、下部後筐体９８と、電池カバー９７などの外観部品との内部に、キー入力装置９０と平行にマイク９３が配置され、マイク９３が表面実装されたフレキシブル基板９５が回路基板と導通接続されることによって構成されている。さらに電池パック９６が下部後筐体９８と一体形成された凹部１０１に実装されている。
【００１７】
下部前筐体９１に設けられたマイク音孔９２は、ユーザの口腔に正対するように、キー入力装置９０と同一面に設けられている。そして、マイク９３の集音口９４もユーザの口腔に正対するように、キー入力装置９０の方向に向けられている。
【００１８】
ユーザの音声は、マイク音孔９２を通じてマイク９３に到達し、マイク９３にて電気信号に変換され、フレキシブル基板９５を介して回路基板へ送られて処理される。
【００１９】
このように、携帯電話機ではマイク音孔をキー入力装置と同一面に設けることが一般的であった。
【００２０】
また、特許文献１に示されるように、マイク部まで一部延長した下部後筐体９８に一体形成された凹１００と下部前筐体９１との間にマイク９３を収納する構成が知られている。
【００２１】
しかし、このようにマイク９３を下部後筐体９８で覆う形状とすると、下部後筐体９８には、マイク９３を収納する凹１００と、電池パック９６を収納する凹１０１との両方を形成する必要が生じるため、下部後筐体９８の全長が伸びてしまう。
【００２２】
さらに、電池パック９６を収容する凹１０１を形成するには、周囲の壁の肉厚分だけ下部後筐体９８を大きくする必要がある。
筐体長が長くならないようにするために、周囲の壁の肉厚分だけ電池パック９６を短くすることも考えられなくはないが、実際には、電池容量を確保する必要があるため、電池パックを短くすることはできない。すなわち、電池パック９６を短くすることによって筐体長の延長を回避することは、電池容量の不足に繋がるため、現実的な解決方法とは言えない。
【００２３】
図１２は、折り畳んだ状態での携帯電話機裏側の下部後筐体側から見た分解斜視図である。説明の簡略化のため電池カバー９７を外した状態を示す。
下部後筐体９８は、電池カバー９７が外れたこの状態でもユーザがマイク９３に触れることができないように、マイク９３を覆い隠す必要がある。そのため、下部後筐体９８の全長は、下部前筐体９１とほぼ同じ大きさとなってしまい小型化できない。
【００２４】
さらに、下部後筐体９８は、外観を構成しており、且つ機器の剛性を保つため、筐体周囲がネジ９９（図示する構成例では６本）で下部前筐体９１に固着されている。特に、マイク収容部の両側のネジ９９は、機器の剛性確保に加え、ユーザがマイク９３を容易に取り出せないようにするという重要な役割を担っている。そのため、ネジ９９の実装スペース（ネジボス、ネジ穴）が必要であり小型化できない。
【００２５】
以上のように、携帯電話機を薄型化するための技術的な課題としては、
・マイクは、導通接点部が底面に設けられており、回路基板と接続するために回路基板に対して平行に実装する必要がある。そして、集音口が設けられた上面をキー入力装置面に向けてマイクを実装配置した場合、マイクは厚さに比べて平面方向の面積が大きいため、キーシートと重ならないように実装すると携帯電話機の全長が伸びてしまう。
・音響特性を確保するマイクの密閉収納方法は、マイクを入力装置部前筐体の底面近傍に収納し、入力装置部後筐体がマイクを覆うように底面まで延長して密閉する構造であるため、後筐体は全長が伸びて小型化できない。
・マイクを入力装置部前筐体と後筐体とで収納する構成であるため、両筐体の（落下などに対する）強度確保が必要である。かつ、ユーザがマイクを容易に取り出せないようにマイク収容部の両端をネジ固定していることから、ネジの実装スペースが必要であり、小型化できない。
などがあげられる。
【００２６】
携帯電話機のマイクの収納に関連する技術として特許文献２に開示される「携帯電話機」がある。
特許文献２に開示される発明は、携帯電話機の筐体の端面に送話口を配置することによって、通話中に送話口が塞がれないようにして、マイクロフォンの集音レベルが低下することを防ぐものである。
【特許文献１】特開２００３−２２９９３８号公報
【特許文献２】特開２００６−３４５０４８号公報
【発明の開示】
【発明が解決しようとする課題】
【００２７】
しかし、特許文献２に開示される発明は、送話口は表面ケースと背面ケースとの接合面に形成される周溝と交差するように開設され、両ケースを嵌合した際に所定の穴形状となるようになっている。すなわち、送話口は表面ケースと背面ケースとにまたがって形成されるため、製造や組立の精度によって両ケースがずれて嵌合すると、送話口は所定の形状とならなくなってしまう。この場合には、外観の見栄えが劣化してしまうこととなる。
さらに、接合面に隙間が生じる可能性もあるため、外部からの音を完全に受けることができずロスが生じて集音レベルが低下してしまう可能性がある。
【００２８】
本発明は係る問題に鑑みてなされたものであり、製品としての外観を損なうことなく送話口への異物の侵入を防止でき、マイクロフォンの集音レベルが低下することなく、小型化可能な携帯端末及びマイク実装方法を提供することを目的とする。
【課題を解決するための手段】
【００２９】
上記目的を達成するため、本発明は、第１の態様として、筐体内にマイクを備えた携帯端末であって、筐体は、略箱状の前筐体と前筐体の上端側の一部を覆う略蓋状の後筐体とからなり、マイクへ音声を導くために前筐体の下端面に形成された送話音孔と、前筐体下端部近傍に、該筐体に収容される回路基板と垂直に実装されたマイクとを有することを特徴とする携帯端末を提供するものである。
【００３０】
また、上記目的を達成するため、本発明は、第２の態様として、略箱状の前筐体と前筐体の上端側の一部を覆う略蓋状の後筐体とからなる携帯端末の筐体内にマイクを実装するマイク実装方法であって、マイクへ音声を導くための送話音孔を前筐体の下端面に形成し、前筐体下端部近傍に、該筐体に収容される回路基板と垂直にマイクを実装することを特徴とするマイク実装方法を提供するものである。
【発明の効果】
【００３１】
本発明によれば、製品としての外観を損なうことなく送話口への異物の侵入を防止でき、マイクロフォンの集音レベルが低下することなく、小型化可能な携帯端末及びマイク実装方法を提供できる。
【発明を実施するための最良の形態】
【００３２】
図１に、本発明に係る携帯電話機の構成を示す。この携帯電話機は、筐体２０１内にマイク２２１を備えた携帯端末であって、筐体２０１は、略箱状の前筐体２１３と前筐体２１３の上端側の一部を覆う略蓋状の後筐体２１５とからなり、マイク２２１へ音声を導くために前筐体２１３の下端面に形成された音孔２０２と、前筐体２１３の下端部近傍に、筐体２０１に収容される回路基板２１１と垂直に実装されたマイク２２１とを有する。
以下、上記構成を適用した本発明の好適な実施の形態について説明する。
【００３３】
〔第１の実施形態〕
本発明を好適に実施した第１の実施形態について説明する。
図２に、本実施形態に係る携帯電話機の斜視図を示す。この携帯電話機は折り畳み式の携帯電話機であり、図示しているのは非使用時や携帯時の折り畳み状態である。
図３に、表示装置を開いた状態を示す。
本実施形態に係る折り畳み式携帯電話機は、表示装置４を構成する上部筐体５と、キー入力装置３を構成する下部筐体１とがヒンジ６を介して結合された構成である。上部筐体５は、表示装置４の上方にレシーバ部７を備える。下部筐体１は、キー入力装置３と、マイク用の音孔２とを備える。
【００３４】
マイク部に設けられた音孔２は、キー入力装置３と同一面近傍ではなく、下部筐体１の底面（ヒンジ６と反対側の端面）に位置している。
【００３５】
下部筐体１の内部の所定の位置には、マイクが実装されている。マイクは音孔２を通じてユーザの音声を拾い、電気信号に変換する。なお、本発明は、筐体構造に関するものであり、携帯電話機の回路そのものとしては公知の構成を適用可能であるため、回路構成や機能ブロック構成に関する説明は省略する。
【００３６】
通信機能を利用する場合、ユーザは下部筐体１に設けられたキー入力装置３を押下して、相手先の電話番号を入力して通話を開始する。また相手から呼び出された場合もキー入力装置３の所定のキーを押して着呼させ、通話を開始する。
【００３７】
下部筐体１の底面に設けられた音孔２は、ユーザの音声を下部筐体１の内部に実装されたマイクに音声が伝わりやすくなるように設けられた孔であり、通話機能を実現するために重要な構成要素である。
【００３８】
一方、携帯電話機で情報端末機能を利用する場合、キー入力装置３に割り当てられたメニューキーや各種の機能キー（いわゆるファンクションキー）を押して、メール機能、インターネット接続機能等を選択する。メール機能などでの文章作成時には文字入力に割り当てられた各種キー（いわゆるテンキー）を押して文字を入力し、文章を作成する。
【００３９】
図４に、マイク用の音孔２における下部筐体１の部分断面（図３のＣ−Ｃ断面）を示す。
説明の簡略化のため、マイク部に関連した構成のみを示し、他の内部実装部品などは適宜省略している。
キー入力装置３の下方近傍に配置されたマイク部は、下部前筐体１３及び電池カバー１５などの外観筐体の内部にマイク２１を収容した構成である。
キー入力装置３と同一面ではなく底面に配置された音孔２は、通話時にユーザの口腔に正対していないため、唾などが入り込むことがない。さらに、キー操作時にも手垢や塵が音孔２に入り込みにくい。
【００４０】
上記のように、携帯電話機を薄型化するためには、内部部品が厚さ方向で重ならないように実装配置することが重要である。下部筐体１には、ヒンジ６、制御や無線通信用の回路基板１１、電源である電池パック１２、マイク２１が所定の位置で厚さ方向に重ならないように近接配置されて実装される。
【００４１】
マイク２１は、近年の携帯電話機に採用されている公知のものであり、集音口方向である高さ（厚さ）寸法が幅や奥行きに比べて小さい薄型形状である。
【００４２】
下部筐体１には、樹脂成形された下部前筐体１３、回路基板１１を覆う下部後筐体１４、キー入力装置３を構成するキーシート３１、及び電池パック１２を覆う電池カバー１５が外装部品として設けられている。
キーシート３１は、裏側周囲に配置された粘着剤によって、下部前筐体１３の前面側に固着されており、ユーザが任意のキーを押すことができるように可撓性を備えている。また、キーシート３１の直下には、平行配置されたフレキシブル基板３２が、下部前筐体１３の前面側に粘着剤などで固着されている。キーシート３１の任意のキーを押下した場合、フレキシブル基板３２が導通し、これに接続された回路基板１１へ電気信号が送られる。
【００４３】
図５に、マイク部周囲の部分拡大図を示す。
ユーザの音声を拾うためのマイク２１は、集音口２３を設ける側の平面の面積が大きいため、集音口２３がキー入力装置３側を向くように実装すると、携帯電話機の全長が伸びてしまう。このため、集音口２３が、下部前筐体１３の底面に設けられた音孔２に正対するようにマイク２１を実装する。このように、マイク２１を回路基板１１に対して垂直に配置することで、携帯電話機の全長を抑えることができる。なお、マイク２１が携帯電話機の厚さ方向に問題なく収まる大きさであることは言うまでもない。
【００４４】
フレキシブル基板３２には部分的に長尺の箇所があり、その部分は、下部前筐体１３の所定の位置に空けられた貫通穴（図中では分かりやすいように一点鎖線で範囲を示す）から内部に入り、電池パック１２と下部前筐体１３との間に設けた隙間を通り、９０°前後に曲げられた所定の面にマイク２１がはんだを用いて表面実装されている。
【００４５】
マイク２１は、回路基板１１に対して垂直に配置されており、下部筐体を平面状態で見たとき実装面積を縮小できるため（マイク２１は回路基板１１と平行に配置するよりも垂直に配置した方が回路基板１１と平行な面に投影される面積が小さく、厚さ寸法が最も小さいため）、携帯電話機の全長を抑えることができる。また、フレキシブル基板３２は、回路基板１１に導通接続されているため、マイク２１で音電変換された音声は、フレキシブル基板３２を介して電気信号として回路基板１１へ伝えられる。
【００４６】
マイク２１は、断面がＬ字に樹脂成形されたマイクカバー８がマイク２１を覆うように下部前筐体１３に嵌合固定されることによりマイク部に密閉収納される。マイクカバー８は、ユーザがマイク２１に触れることができないようにする役割と、マイク部を密閉してマイク２１を収納し、マイク２１の音響特性を確保する役割とを担う。
【００４７】
マイクカバー８と電池パック１２とは、外装部品である電池カバー１５で覆われている。ただし、下部後筐体１４でマイク２１を覆わずにマイクカバー８を下部前ケース１３に嵌合固定しているために、マイク部両端をネジで固定する必要が無く、携帯電話機のマイク周辺部のネジが不要となる。
【００４８】
ところで、折り畳み式携帯電話機では、携行の際などで閉じられた状態にある時には表示装置を点灯させる必要が無いので、携帯電話機が折り畳み状態にあるか開いた状態にあるかを検出し、表示装置の点灯・消灯を切り替える機能を備えている。これは、電池駆動時間を延長するために重要な機能である。
【００４９】
この機能は、一般的には、上部筐体及び下部筐体の折り畳み状態で正対する位置に、それぞれホールＩＣと磁石とを実装することによって実現されるが、本実施形態に係る携帯電話機は、実装効率を向上させるために、マイクカバー８に磁石を係止固定し収納している。
【００５０】
図６は、折り畳んだ状態での携帯電話機の裏側の斜視図である。構成の理解を容易とするために、下部前筐体１３からマイクカバー８及び下部後筐体１５を分離した状態で示している。
マイクカバー８の両端には、下部前筐体１３と嵌合させるための突起凸８２及び凸８３が形成されており、ネジを用いることなく下部前筐体１３に嵌合固定されている。
また、必要に応じ、マイクカバー８の中央付近に嵌合用の突起を適宜設けることにより、嵌合強度をさらに向上させることが可能である。突起の形状は、スナップフィット形状などの公知の形状を適用可能であるため、詳細な説明は割愛する。
【００５１】
マイクカバー８には、マイク２１を収納するための凹８１と、磁石９を収納するための凹８４とが設けられている。収納された磁石９を固定するために、弾性変形可能なリブ８５がマイクカバー８と一体に形成されており、マイクカバー８を下部前筐体１３に嵌合固定するときに、磁石９が脱落しないように保持している。
【００５２】
磁石９は、マイク２１と同様に平面方向よりも厚さ方向の寸法が小さいため、回路基板１１と垂直となるようにマイクカバー８に収納することで、筐体内に部品が実装されない無駄な空間を生じさせないようにできる。
【００５３】
図７に、磁石９を実装した部分の断面図を示す。
磁石９は、マイク２１と同様に平面方向よりも厚さ方向の寸法が小さいため、回路基板１１に対し垂直に実装することで、実装面積が縮小され、携帯電話機の全長を抑えられている。なお、磁石９が携帯電話機の厚さ方向に影響無く収まる大きさであることは言うまでもない。
【００５４】
通常、磁石９は切断することによって所要寸法に成形されるため、切断工数が少なくて低コストな直方体形状のものが用いられることが一般的である。磁石９は所定の位置への固定のために両面テープなどを使う必要は無く、リブ８５の弾性力によって凹８４内に収納及び係止固定されている。そのため、マイクカバー８を下部前筐体１３に組み込む際に磁石９が脱落することなく、所定の位置に配置できる。したがって、両面テープが不要となるだけでなく、両面テープの貼り付け及び磁石の固定といった工程も不要となるため、組立工数を削減できる。
【００５５】
マイクの音孔が、通話時にユーザの口正対するキーシートと同一面ではなく、下部筐体の底面に設けられているため、通話時にユーザの唾が音孔にかからない。さらに、ユーザの顔などの皮脂が音孔に入ることがない。
【００５６】
また、相手の声が聞こえにくい環境下で使用する場合や受話音が漏れないようにする場合には、ユーザは受話側のスピーカ部に耳を押し当てるため、レシーバ部には皮脂が多く付きやすい。レシーバ部に付着していた皮脂は、通話を終了し携帯電話機を折り畳んだ時にキー入力装置側にも移行してしまう。しかし、本実施形態に係る携帯電話機は、折り畳んだ状態でマイク用の音孔はレシーバ部と正対しないため、キー入力装置側に皮脂が移行しても音孔を塞ぐことがない。
【００５７】
さらに、通話中は相手に声が良く伝わるように、又は周囲に声が漏れにくいように、携帯電話機を顔に押し付けるため、キー入力装置には皮脂などが付きやすい。また、情報端末としての機能を利用する場合には、キー操作の際に手垢や手の塵などがキー入力部へ付着してしまう。しかし、本実施形態に係る携帯電話機では、マイク用の音孔は、キーシートと同一面ではなく、下部筐体の底面に設けられているため、皮脂、手垢、塵などはマイク用の音孔に入り込みにくい。
【００５８】
平面方向の寸法が大きく、厚さ方向の寸法が小さい携帯電話機用の薄型マイクの特長を生かし、回路基板と接続されたフレキシブル基板にマイクを実装し、フレキシブル基板を曲げてマイクの平面方向を回路基板と垂直にすることで、平面方向と厚さ方向の寸法差分だけ実装効率が上がり、携帯電話機の全長を短くして小型化できる。例えば、マイクの平面方向の寸法が縦横６ｍｍ、厚さ寸法が３ｍｍとすると、本実施形態に係る携帯電話機は従来の構造と比較して全長を約３ｍｍ短縮できる。
【００５９】
また、マイク部を下部後筐体で収納せず、別部品であるマイクカバーで収納することにより、電池パック収容部が不要となり、下部後筐体の全長を約半分に短くすることができ、携帯電話機の小型化が可能となる。
【００６０】
さらに、マイクを収納するマイクカバーの両端を、下部前筐体に嵌合固定するため、従来のようにマイク部の両端をネジ止めする必要がなくなり、機器の全長を抑えて小型化できる。
【００６１】
このように、本実施形態に係る携帯電話機は、
マイク用の音孔をキー入力装置面に配置せずに携帯電話機の底面に配置することで、
（１）通話時の唾、皮脂などが音孔に入らなくなるため、マイクの音響特性に悪影響を与えることがなく、良好な音声で送信できる。
（２）携帯電話機を閉じた場合に表示装置側のレシーバ部がマイク用の音孔に正対しないため、皮脂などの塵が音孔に入ることがなく、マイクの音響特性を確保できる。
（３）情報端末機能を利用する場合に、キー操作時に手垢や塵がマイク用の音孔に入らないため、マイクの音響特性を確保できる。
また、マイクを電話機の厚さ方向に対して垂直に配置することで、携帯電話機の全長を短くできる。
また、マイク部を下部後筐体ではなく別部品のマイクカバーで収納することにより、下部後筐体を小型化できるため、携帯電話機を小型化できる。マイクを収納するカバーは、嵌合によって下部前筐体に係止固定することにより、マイク部近傍に固定用のネジを配置する必要が無くなるため、携帯電話機を小型化できる。さらに、マイクなどの機能部品をマイク同様にマイクカバーに収納することで、部品が実装されない無駄な空間を削減でき、携帯電話機の小型化を実現できる。
【００６２】
〔第２の実施形態〕
本発明を好適に実施した第２の実施形態について説明する。図８に、本実施形態に係る携帯電話機のマイク部の断面を示す。
本実施形態においては、下部前筐体１７の外観形状の角部１９が大きなＣ面形状ではなく、小さなＲ面となっており、巨視的には端末の正面と底面とが鋭角をなす形状となっている。
下部前筐体１７には、マイク２１を収容可能な凹１８が設けられており、キーシート３３で凹１８が覆い隠されている。すなわち、下部前筐体１７に設けられた凹１８とキーシート３３とに囲まれる空間にマイク２１を収納するため、第１の実施形態の構成と比較するとマイクカバー８が不要となっており、部品点数を削減できる。
【００６３】
なお、上記実施形態は本発明の好適な実施の一例であり、本発明はこれに限定されることはない。
例えば、上記実施形態では、折り畳み式の携帯電話機を例に説明したが、折り畳み式に限らず、ストレート型、スライド型、回転型などの携帯電話機であっても同様の効果が得られる。
また、電話端末に限定されることはなく、トランシーバなどのマイクを備えた携帯端末であれば適用可能である。
このように、本発明は様々な変形が可能である。
【図面の簡単な説明】
【００６４】
【図１】本発明に係る携帯端末の構成を示す図である。
【図２】本発明を好適に実施した第１の実施形態に係る折り畳み式携帯電話機の折り畳み状態での外観を示す図である。
【図３】第１の実施形態に係る折り畳み式携帯電話機の伸長状態での外観を示す図である、
【図４】第１の実施形態に係る折り畳み式携帯電話機の下部筐体の断面を示す図である。
【図５】第１の実施形態に係る折り畳み式携帯電話機の下部筐体の要部の断面を示す図である。
【図６】第１の実施形態に係る折り畳み式携帯電話機の下部筐体の分解斜視図である。
【図７】第１の実施形態に係る折り畳み式携帯電話機のマイク部の断面図である。
【図８】本発明を好適に実施した第２の実施形態に係る折り畳み式携帯電話機のマイク部の断面図である。
【図９】従来の折り畳み式携帯電話機の伸長状態での外観を示す図である。
【図１０】従来の折り畳み式携帯電話機のマイク部の断面図である。
【図１１】従来の折り畳み式携帯電話機のマイク部の断面図である。
【図１２】従来の折り畳み式携帯電話機の下部筐体の分解斜視図である。
【符号の説明】
【００６５】
１    下部筐体
２    音孔
３、９０    キー入力装置
４    情報表示部
５    上部筐体
６    ヒンジ
７    レシーバ
８    マイクカバー
９    磁石
１１    回路基板
１２、９６    電池パック
１３、１７、９１    下部前筐体
１４、９８    下部後筐体
１５、９７    電池カバー
１８、８１、８４、１００    凹
２１、９３    マイク
２３、９４    集音口
３１、３３    キーシート
３２、９５    フレキシブル基板
８２、８３    凸
８５    リブ
９２    マイク音孔
９９    ネジ
１０１  凹部
【図１】
2009111696.tif 000003
【図２】
2009111696.tif 000004
【図３】
2009111696.tif 000005
【図４】
2009111696.tif 000006
【図５】
2009111696.tif 000007
【図６】
2009111696.tif 000008
【図７】
2009111696.tif 000009
【図８】
2009111696.tif 000010
【図９】
2009111696.tif 000011
【図１０】
2009111696.tif 000012
【図１１】
2009111696.tif 000013
【図１２】
2009111696.tif 000014